【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
複数帯域直接変換無線通信デバイスにおいて、局部発振器（ＬＯ）周波数を発生する方法であって、方法は、
電圧制御発振器（ＶＣＯ）からＶＣＯ周波数を有している信号を受信し、
分周された周波数を有している信号を発生するために、数値ＮによってＶＣＯ周波数を分周し、そして
ＬＯ周波数を有している出力信号を生成するために、ＶＣＯ周波数を有している信号を分周された周波数を有している信号と混合する
ことを含む方法。
【請求項２】
さらに、数値ＭによってＬＯ周波数を分周することを含む、請求項１の方法。
【請求項３】
さらに、出力信号の位相をシフトすることを含む、請求項１の方法。
【請求項４】
ここで、デバイスは受信機を含む、請求項１の方法。
【請求項５】
さらに、送信機のためのＬＯ周波数を生成するために、出力信号をオフセット周波数を有している信号と混合することを含む、請求項４の方法。
【請求項６】
ここで、デバイスは送信機を含む、請求項１の方法。
【請求項７】
複数帯域直接変換無線通信デバイスにおいて、局部発振器（ＬＯ）周波数を発生する方法であって、方法は、
電圧制御発振器（ＶＣＯ）からＶＣＯ周波数を有している信号を受信し、
分周された周波数を有している信号を生成するために数値ＮによってＶＣＯ周波数を分周し、
さらに分周された周波数を有している第２の信号を生成するために、数値Ｍによって分周された信号を分周し、そして、
ＬＯ周波数を有している出力信号を生成するために、 ＶＣＯ周波数を有している信号を、さらに分周された周波数を有している第２の信号と混合する
ことを含む方法。
【請求項８】
さらに、ＬＯ周波数を数値Ｐによって分周することを含む、請求項７の方法。
【請求項９】
ＶＣＯは複数帯域ＶＣＯである、請求項７の方法。
【請求項１０】
複数帯域直接変換無線通信デバイスにおいて、局部発振器（ＬＯ）周波数を発生する方法であって、方法は、
１個あるいはそれ以上の配列を有するように、なお各配列は、ＲＦ信号の少なくとも１個の周波数帯域と組み合わせられており、そして少なくとも１個のＲＦ信号の周波数帯域と組み合わせられている周波数の出力信号を生成しており、そしてＶＣＯ周波数をＶＣＯ周波数の分周された形態と混合するように、ＬＯ発振器を配列し、
ＲＦ信号の周波数帯域を選択し、そして
ＲＦ信号の選択された周波数帯域と組み合わせられた配列を選択する
ことを含む方法。
【請求項１１】
さらに、選択に基づいてＬＯ発振器を制御することを含む、請求項１０の方法。
【請求項１２】
複数帯域直接変換無線通信デバイスにおいて、局部発振器（ＬＯ）周波数を発生するためのシステムであって、システムは
電圧制御発振器（ＶＣＯ）と、
入力および入力信号を分周することによって生成される出力を有している分周器と、なおその分周器入力はＶＣＯに動作的に結合されており、および
ＶＣＯに動作的に結合された第１のミクサ入力、分周器出力に動作的に結合された第２のミクサ入力、およびＬＯ周波数を提供する出力を有しているミクサと
を含むシステム。
【請求項１３】
ここでＶＣＯはデバイスを含むチップの外部にある、請求項１２のシステム。
【請求項１４】
ここでＶＣＯはシングルエンデッド出力を有している、請求項１３のシステム。
【請求項１５】
ここでＶＣＯはデバイスを含むチップ内に集積されている、請求項１２のシステム。
【請求項１６】
ここでＶＣＯはＲＦ信号の周波数以下で動作する、請求項１２のシステム。
【請求項１７】
ここでＶＣＯはＲＦ信号の周波数以上で動作する、請求項１２のシステム。
【請求項１８】
ここでＶＣＯは１６００および１７８８ＭＨｚ間の周波数で動作する、請求項１２のシステム。
【請求項１９】
ここでＶＣＯは位相ロックループ（ＰＬＬ）に動作的に結合され、さらに、ＧＰＳモードにあるときに受信された信号に対する第２のＰＬＬおよび第２のＶＣＯを含み、第２のＶＣＯは、受信されたＧＰＳ信号の周波数の２倍で動作している、請求項１２のシステム。
【請求項２０】
さらに、ブルートゥースモードにあるときに受信された信号に対する第３のＰＬＬおよび第３のＶＣＯを含む、請求項１９のシステム。
【請求項２１】
ここでミクサは単側波帯（ＳＳＢ）ミクサを含む請求項１２のシステム。
【請求項２２】
ここでＳＳＢミクサは低周波側ＳＳＢミクサである、請求項２１のシステム。
【請求項２３】
ここでＳＳＢミクサは高周波側ＳＳＢミクサである、請求項２１のシステム。
【請求項２４】
ここでミクサ出力は位相ロックループ（ＰＬＬ）に動作的に結合されており、ここでＰＬＬはデバイスを含むチップの内部にある、請求項１２のシステム。
【請求項２５】
ここで分周器入力はＶＣＯに選択的に結合されている、請求項１２のシステム。
【請求項２６】
ここでスイッチは、分周器入力をＶＣＯに選択的に結合する、請求項２５のシステム。
【請求項２７】
ここでスイッチはＲＦ信号の帯域に基づいて、スイッチ制御によって制御される、請求項２６のシステム。
【請求項２８】
ここで分周器入力はミクサ出力に選択的に結合される、請求項１２のシステム。
【請求項２９】
ここでミクサ出力はＶＣＯに選択的に結合される、請求項１２のシステム。
【請求項３０】
さらに、ミクサ出力と結合された入力を有している位相シフタを含む、なお位相シフタは直交信号を生成する出力を有している、請求項１２のシステム。
【請求項３１】
ここで位相シフタはアクティブ位相シフタを含む、請求項３０のシステム。
【請求項３２】
さらに、ミクサ出力に動作的に結合された入力および入力信号を分周することにより生成された出力を有している第２の分周器を含む、請求項１２のシステム。
【請求項３３】
ここで第２の分周器は２によって分周する、請求項３２のシステム。
【請求項３４】
ここで第２の分周器は第１の信号および第２の信号を出力し、第１の信号は、第２の信号の位相と９０度離れている、請求項３２のシステム。
【請求項３５】
ここで第１の信号はデバイス内のＩおよびＱミクサの一つを駆動する、請求項３４のシステム。
【請求項３６】
ここで
デバイスは受信機を含み、ここで
受信されたＲＦ信号の帯域は、米国ＰＣＳであり、そしてここで
ＶＣＯは１７１６ＭＨｚおよび１７６９ＭＨｚの周波数間で動作し、
分周器は８によって分周し、そして
ミクサは高周波側ＳＳＢミクサである、
請求項１２のシステム。
【請求項３７】
ここで
デバイスは受信機を含み、ここで
受信されたＲＦ信号の帯域はＩＭＴであり、そしてここで
ＶＣＯは１６８８ＭＨｚおよび１７３６ＭＨｚの周波数間で動作し
分周器は４によって分周し、そして
ミクサは、高周波側ＳＳＢミクサである
請求項１２のシステム。
【請求項３８】
ここでデバイスは無線通信トランシーバの中に含まれる、請求項１２のシステム。
【請求項３９】
ここでデバイスは送信機を含む、請求項１２のシステム。
【請求項４０】
ここで
送信されたＲＦ信号の帯域は米国ＰＣＳであり、そしてここで
ＶＣＯは１４８０ＭＨｚおよび１５２８ＭＨｚ間の周波数で動作し、
分周器は４によって分周し、そして
ミクサは高周波側ＳＳＢミクサである
請求項３９のシステム。
【請求項４１】
さらに、第１の送信周波数帯域内で動作するよう配列された第１の増幅器チェーンを含む、なお増幅器チェーンはアップコンバータに動作的に結合されている、請求項３９のシステム。
【請求項４２】
ここでデバイスは受信機を含み、そしてさらにミクサの第３の入力に結合されたオフセットＬＯを含む、ここでミクサ出力は送信機のためのＬＯ周波数を与える、請求項１２のシステム。
【請求項４３】
ここで第１のミクサ入力およびミクサ出力は差動である、請求項１２のシステム。
【請求項４４】
ここでデバイスは差動信号経路を組み込んだ受信機を含む、請求項１２のシステム。
【請求項４５】
複数帯域直接変換無線通信デバイスにおいて、局部発振器（ＬＯ）周波数を発生するためのシステムであって、システムは、
電圧制御発振器（ＶＣＯ）と、
入力および入力信号を分周することによって生成された出力を有している第１の分周器と、なお第１の分周器の入力はＶＣＯに動作的に結合されており、
入力および入力信号を分周することによって生成された出力を有している第２の分周器と、なお第２の分周器の入力は第１の分周器の出力と動作的に結合されており、そして
第１の分周器の出力と動作的に結合された第１のミクサ入力、第２の分周器の出力と動作的に結合された第２のミクサ入力、および出力とを有しているミクサと
を含むシステム。
【請求項４６】
さらに、ミクサ出力と動作的に結合された第３の分周器を含む、請求項４５のシステム。
【請求項４７】
ここでＶＣＯは複数帯域ＶＣＯである、請求項４５のシステム。
【請求項４８】
複数帯域直接変換無線通信デバイスにおいて、局部発振器（ＬＯ）周波数を発生するためのシステムであって、システムは、
１個あるいはそれ以上の配列を有しているＬＯ発振器と、なお各配列はＲＦ信号の少なくとも１個の周波数帯域と組み合わせられており、そしてＲＦ信号の少なくとも１個の周波数帯域と組み合わせられた周波数の出力信号を生成しており、そしてＶＣＯ周波数をＶＣＯ周波数の分周された形態と混合するよう配列されたミクサと、そして
ＲＦ信号の選択された周波数帯域と組み合わせられた配列を選択するよう整列された配列選択機構と
を含むシステム。
【請求項４９】
ここでＬＯ発振器は配列選択機構に基づいて制御される、請求項４８のシステム。
【手続補正２】
【補正対象書類名】図面
【補正対象項目名】図６
【補正方法】変更
【補正の内容】
【図６】
2004536479.tif 000001
【手続補正３】
【補正対象書類名】図面
【補正対象項目名】図８
【補正方法】変更
【補正の内容】
【図８】
2004536479.tif 000002